(57)【要約】【課題】店舗の状態情報に応じてマップ中の店舗の表示形態を変えることにより、容易に店舗の状態を把握することができる店舗監視システムを提供する。【解決手段】記憶処理手段によって記憶された店舗の各状態情報に応じて、店舗を表す１つの絵図上に設定された各状態情報の表示領域への表示形態を切換決定する表示形態切換手段と、本部端末装置の表示画面にマップを表示し、各店舗のマップ上の位置データに基づいてマップ上に各店舗を表す絵図を表示すると共に、絵図上に表示形態切換手段によって切換決定された表示形態で各店舗の各状態情報を表示する店舗表示手段とを備え、店舗を表す１つの絵図上の各表示領域毎に店舗についての異なる状態情報がそれぞれ表示する。【選択図】図３
2008004130.tif 000002
【特許請求の範囲】
【請求項１】
各店舗に設けられた各ホール端末装置、店舗の管理・監視を行う本部端末装置及びセンタサーバを備え、前記各ホール端末装置、前記本部端末装置及び前記センタサーバが、データの送受を可能に接続されることによって構成された店舗監視システムにおいて、
前記センタサーバは、
前記各ホール端末装置から複数種類の店舗の状態情報が送信されると、店舗毎に、店舗のマップ上の位置データと前記複数種類の店舗の状態情報とを対応付けて記憶する記憶処理手段と、
前記記憶処理手段によって記憶された店舗の各状態情報に応じて、店舗を表す１つの絵図上に設定された各状態情報の表示領域への表示形態を切換決定する表示形態切換手段と、
前記本部端末装置の表示画面にマップを表示し、前記各店舗のマップ上の位置データに基づいて前記マップ上に前記各店舗を表す絵図を表示すると共に、前記絵図上に前記表示形態切換手段によって切換決定された表示形態で各店舗の各状態情報を表示する店舗表示手段とを備え、
前記店舗を表す１つの絵図上の各表示領域毎に店舗についての異なる状態情報がそれぞれ表示されることを特徴とする店舗監視システム。
【請求項２】
各店舗に設けられた各ホール端末装置及び店舗の管理・監視を行う本部端末装置を備え、前記各ホール端末装置及び前記本部端末装置が、データの送受を可能に接続されることによって構成された店舗監視システムにおいて、
前記本部端末装置は、
前記各ホール端末装置から複数種類の店舗の状態情報が送信されると、店舗毎に、店舗のマップ上の位置データと前記複数種類の店舗の状態情報とを対応付けて記憶する記憶処理手段と、
前記記憶処理手段によって記憶された店舗の各状態情報に応じて、店舗を表す１つの絵図上に設定された各状態情報の表示領域への表示形態を切換決定する表示形態切換手段と、
前記本部端末装置の表示画面にマップを表示し、前記各店舗のマップ上の位置データに基づいて前記マップ上に前記各店舗を表す絵図を表示すると共に、前記絵図上に前記表示形態切換手段によって切り換られた表示形態で各店舗の各状態情報を表示する店舗表示手段とを備え、
前記店舗を表す１つの絵図上の各表示領域毎に店舗についての異なる状態情報がそれぞれ表示されることを特徴とする店舗監視システム。
【請求項３】
前記表示形態切換手段によって切換決定される前記各状態情報の表示領域への表示形態が表示色であり、
前記表示形態切換手段は、第１の状態情報についての所定値と、各店舗の第１の状態情報とを比較し、比較結果が所定値以上であれば各店舗を表す絵図における第１の状態情報の表示領域の表示色を第１の表示色に切換決定する一方、比較結果が所定値に満たなければ前記絵図における第１の状態情報の表示領域の表示色を第２の表示色に切換決定する手段と、第２の状態情報についての所定値と各店舗の第２の状態情報とを比較し、比較結果が所定値以下である場合、各店舗を表す絵図における第２の状態情報の表示領域の表示色を第２の表示色に切換決定する一方、比較結果が所定値以下でない場合、前記絵図における第２の状態情報の表示領域の表示色を第１の表示色に切換決定する手段と、を備えていることを特徴とする請求項１又は２に記載の店舗監視システム。
【請求項４】
前記店舗の各状態情報の表示領域のうちの１つが、前記絵図の隅部に設けられていることを特徴とする請求項１乃至３のうちの何れか１つに記載の店舗監視システム。
【請求項５】
前記店舗表示手段は、前記絵図に付随して前記店舗の状態情報に関して文字表示することを特徴とする請求項１乃至４のうちのいずれか１つに記載の店舗監視システム。
【発明の詳細な説明】
【技術分野】
【０００１】
本発明は、地図上の店舗の所在位置に、店舗の状態情報に応じて店舗を表す絵図を表示する店舗監視システムに関するものである。
【背景技術】
【０００２】
近年、繁華街をマップ表示させ、そのマップ中に表示された店舗をクリックすることにより、その店舗の情報を閲覧できるようにした地図情報システムが知られている。なお、マップ中に表示される店舗は、店舗のロゴマークや記号等で表示される。このような地図情報システムは、店舗を見つけやすく、その店舗に関わる情報を表示させるので、食事や娯楽を目的として店舗に行く場合には効果がある。
【発明の開示】
【発明が解決しようとする課題】
【０００３】
しかし、複数のチェーン店を管理する本部等においてチェーン店を監視する場合は、チェーン店１つ１つの情報を表示させ、表示させた店舗の状態をチェックしなければならず、そのための操作に手間がかかり、実用性にかけるものとなっている。
【０００４】
本発明の目的は、店舗の状態情報に応じてマップ中の店舗の表示形態を変えることにより、容易に店舗の状態を把握することができる店舗監視システムを提供することにある。
【課題を解決するための手段】
【０００５】
請求項１に係る店舗監視システムは、各店舗に設けられた各ホール端末装置、店舗の管理・監視を行う本部端末装置及びセンタサーバを備え、前記各ホール端末装置、前記本部端末装置及び前記センタサーバが、データの送受を可能に接続されることによって構成されたものであって、上記課題を解決するために、前記センタサーバは、前記各ホール端末装置から複数種類の店舗の状態情報が送信されると、店舗毎に、店舗のマップ上の位置データと前記複数種類の店舗の状態情報とを対応付けて記憶する記憶処理手段と、前記記憶処理手段によって記憶された店舗の各状態情報に応じて、店舗を表す１つの絵図上に設定された各状態情報の表示領域への表示形態を切換決定する表示形態切換手段と、前記本部端末装置の表示画面にマップを表示し、前記各店舗のマップ上の位置データに基づいて前記マップ上に前記各店舗を表す絵図を表示すると共に、前記絵図上に前記表示形態切換手段によって切り換られた表示形態で各店舗の各状態情報を表示する店舗表示手段とを備えたことを特徴とする。
【０００６】
請求項２に係る店舗監視システムは、各店舗に設けられた各ホール端末装置及び店舗の管理・監視を行う本部端末装置を備え、前記各ホール端末装置及び前記本部端末装置が、データの送受を可能に接続されることによって構成されたものであって、上記課題を解決するために、前記本部端末装置は、前記各ホール端末装置から複数種類の店舗の状態情報が送信されると、店舗毎に、店舗のマップ上の位置データと前記複数種類の店舗の状態情報とを対応付けて記憶する記憶処理手段と、前記記憶処理手段によって記憶された店舗の各状態情報に応じて、店舗を表す１つの絵図上に設定された各状態情報の表示領域への表示形態を切換決定する表示形態切換手段と、前記本部端末装置の表示画面にマップを表示し、前記各店舗のマップ上の位置データに基づいて前記マップ上に前記各店舗を表す絵図を表示すると共に、前記絵図上に前記表示形態切換手段によって切り換られた表示形態で各店舗の各状態情報を表示する店舗表示手段とを備えたことを特徴とする。
【０００７】
請求項３に係る店舗監視システムは、請求項１又は２に係る店舗監視システムおいて、前記表示形態切換手段によって切換決定される前記各状態情報の表示領域への表示形態が表示色であり、前記表示形態切換手段は、第１の状態情報についての所定値と、各店舗の第１の状態情報とを比較し、比較結果が所定値以上であれば各店舗を表す絵図における第１の状態情報の表示領域の表示色を第１の表示色に切換決定する一方、比較結果が所定値に満たなければ前記絵図における第１の状態情報の表示領域の表示色を第２の表示色に切換決定する手段と、第２の状態情報についての所定値と各店舗の第２の状態情報とを比較し、比較結果が所定値以下である場合、各店舗を表す絵図における第２の状態情報の表示領域の表示色を第２の表示色に切換決定する一方、比較結果が所定値以下でない場合、前記絵図における第２の状態情報の表示領域の表示色を第１の表示色に切換決定する手段と、を備えていることを特徴とするものである。
【０００８】
請求項４に係る店舗監視システムは、請求項１乃至３のうちの何れか１つに係る店舗監視システムおいて、前記店舗の各状態情報の表示領域のうちの１つが、前記絵図の隅部に設けられていることを特徴とするものである。
【０００９】
請求項５に係る店舗監視システムは、請求項１乃至４のうちの何れか１つに係る店舗監視システムおいて、前記絵図に付随して前記店舗の状態情報に関して文字表示することを特徴とするものである。
【発明の効果】
【００１０】
請求項１又は２に係る店舗監視システムによれば、店舗の各状態情報に応じて店舗を表す１つの絵図上に設定された各状態情報の表示領域への表示形態を切換決定し、本部端末装置の表示画面にマップを表示し、各店舗のマップ上の位置データに基づいてマップ上に各店舗を表す絵図を表示すると共に、絵図上に切換決定された表示形態で各店舗の各状態情報を表示するので、店舗を表す１つの絵図上の各表示領域毎に店舗についての異なる状態情報がそれぞれ表示されることになり、マップ画面を見るだけで絵図が表示されている場所の店舗の状態を容易に把握できる。
【００１１】
請求項３に係る店舗監視システムによれば、マップ画面を見るだけで、店舗の１つの種類の状態情報（例えば、売上）について、状態情報が所定値以上の店舗であるか状態情報が所定値に満たない店舗であるかを容易に識別することができる。
【発明を実施するための最良の形態】
【００１２】
以下、本発明の実施の形態を図面を参照して説明する。図１は、本発明の実施形態に係る店舗監視システムの概略ブロック図である。なお、本実施形態では、店舗の一形態として、パチンコ遊技機やスロットマシンやメダル式遊技機等を設置した遊技店（以下、ホールという）を例にとって説明する。
【００１３】
店舗監視システム１は、各ホールに設けられた各ホール端末装置（尚、各ホールにあっては遊技情報、売上、景品或いは商品等の物品の在庫、来客数、稼働数等の管理を行う管理コンピュータとなる）２、ホールの管理・監視を行う管理本部に設けられた本部端末装置３及び情報管理センタに設置されたセンタサーバ４とを備える。各ホール端末装置２、本部端末装置３及びセンタサーバ４は、それぞれインターネット５に接続されており、データ等が送受可能となっている。なお、図１においては、ホール数は、複数あるが、代表として、ホールＡ、ホールＢ、ホールＣの３店舗のみ図示してある。
【００１４】
各ホールに設けられたホール端末装置２ａ、２ｂ、２ｃは、例えば、パソコン（パソコン本体、ディスプレイ装置、キーボード装置、プリンタを含む）で構成される。また、管理本部の本部端末装置３は、例えば、パソコン（パソコン本体、ディスプレイ装置、キーボード装置、プリンタを含む）で構成される。
【００１５】
センタサーバ４は、図示していないがコンピュータ等の制御装置の他に、通信サーバ及びデータベース用の記憶装置を有している。本実施形態において、センタサーバ４は、請求項１に記載の構成要件、すなわち、店舗毎に店舗の所在位置と店舗の状態情報とを対応付けて記憶する記憶手段と、店舗の状態情報に応じて店舗を表す絵図の表示形態を切換決定する表示形態切換手段と、本部端末装置３の表示画面にマップを表示し、各店舗のマップ上の位置データに基づいてマップ上に各店舗を表す絵図を表示すると共に、表示形態切換手段によって切り換えられた表示形態で絵図上に各店舗の各状態情報を表示する店舗表示手段とを含んでいる。
【００１６】
センタサーバ４には、各ホール端末装置２ａ、２ｂ、２ｃから各ホールにおける状態情報が一定時間毎に送信されてくる。なお、前記状態情報とは、例えば、売上、物品の在庫数、利益、来客数、稼働数、稼働率等である。センタサーバ４は、状態情報を受け取ると、受け取った状態情報をホール毎に記憶装置に記憶し、記憶した状態情報に基いて演算処理を行い、本部端末装置３からの閲覧アクセス要求に応じるためのマップ画面表示用の絵図データを生成し、記憶装置に記憶する。
【００１７】
図２は、本部端末装置３のディスプレイ装置（以下、単に表示画面）に表示されるマップ画面を示す図である。画面に表示されているマップ上（地図上）には、マップの各ホールの所在位置に対応して各ホールを表す絵図が表示されている。図２では、愛知県におけるマップ上のホールＡ、ホールＢ、ホールＣの所在位置に各ホールを表す絵図が表示されている例を示している。
【００１８】
図３は、マップ上に表示されたホールを表す絵図の詳細を示す図である。絵図には、ホールの名称が文字表示され、センタサーバ４で決定された表示形態で絵図が表示される。なお、本実施形態では、絵図は全て四角形で表示される。また、店舗の状態情報に応じて店舗を表す絵図の表示形態を切換決定する一態様として、ホールの売上（第１の状態情報の一例）と全ホールの売上の平均値との比較結果により絵図の表示色が切換決定される。さらに、絵図の一部（在庫数の表示領域）には、物品の在庫数（第２の状態情報の一例）が一定時間毎に更新表示（文字表示）される。当該物品の在庫数についても、在庫数が設定値以下であるか否かにより表示色の切換が行われる。
【００１９】
センターサーバ４の記憶装置には、登録されているホールの全ホール数が記憶されている。また、図４は、センタサーバ４の記憶装置に記憶されるホール毎の記憶データを示す図である。なお、図４に示す例は、ホールＡについての記憶データを示している。ホール毎の記憶データの内容は、ホールの名称、ホールの所在位置（例えば、住所或いは緯度経度データ）、ホールの所在位置に対応したマップ上の位置データ（図２に示すように、マップ画面の横方向をＸ軸方向とし、マップ画面の縦方向をＹ軸方向とし、Ｘの値とＹの値とで定まるホールのマップ上の座標）、時刻データ（状態情報を記憶した時刻）、ホールの状態情報データにより構成されている。また、本実施形態では、状態情報データは、売上データ及び物品の在庫数データにより構成され、ホールの売上データ及び物品の在庫数データが一定時間毎に更新記憶される。図４に示すように、ホールの所在位置（マップ上の位置データ）とホールの状態情報とが対応付けて記憶されている。また、本実施形態では、マップ上での絵図の表示は、図３に示すように、絵図の左上角をマップ上の位置データ（Ｘ，Ｙ）に一致させて表示する。
【００２０】
次に、センタサーバ４によるホールを表す絵図に関する表示態様切換並びに絵図表示に関する処理について説明する。図５乃至図６は、センタサーバ４が実行するホールを表す絵図に関する表示態様切換並びに絵図表示に関する処理を示すフローチャートである。なお、本実施形態では、一例としてホールＡに関しての絵図の表示態様切換並びに絵図表示に関する処理について説明する。
【００２１】
各ホール端末装置２ａ、２ｂ、２ｃ、…は、センタサーバ４に対して各ホールにおける状態情報（例えば、売上、物品の在庫数等）を一定時間毎に送信する。センタサーバ４は、各ホール端末装置２ａ、２ｂ、２ｃ、…からデータ受信要求（状態情報の受信要求）があるか否かを判別しており（ステップＳ０１）、データ受信要求がない場合はステップＳ１１に移行する一方、データ受信要求がある毎に送信された状態情報を受信し（ステップＳ０２）、受信した状態情報（例えば、図４に示すように受信した時刻と共に売上、物品の在庫数）をホール毎の記憶エリアに記憶し（ステップＳ０３）、ステップＳ１１に進む。
【００２２】
センタサーバ４は、ステップＳ１１に進むと、一定時間が経過したか否かを判別する（ステップＳ１１）。この一定時間とは、絵図に関する表示態様切換を行うタイミングのことである。センタサーバ４は、一定時間が経過していないと判別した場合には、即ち、絵図に関する表示態様切換を行うタイミングになっていないと判別した場合には、ステップＳ０１に戻る。
【００２３】
一方、センタサーバ４は、一定時間が経過していると判別した場合には、即ち、絵図に関する表示態様切換を行うタイミングになったと判別した場合には、ステップＳ１２に進む。センタサーバ４は、ステップＳ１２に進むと、先ず、全ホールの売上の平均値を算出する（ステップＳ１２）。全ホールの売上の平均値の算出は、記憶手段にホール毎に記憶されている売上を、ホールＡから最終ホールまで順に読み出して加算していき、加算値を全ホール数で割ることにより算出する。
【００２４】
次いで、センタサーバ４は、ホールＡの売上をステップＳ１２で求めた全ホールの売上の平均値と比較し（ステップＳ１３）、ホールＡの売上が全ホールの売上の平均値以上であれば絵図の表示色を「青」（第１の表示色の一例）に設定してステップＳ１６に進む一方（ステップＳ１４）、ホールＡの売上が全ホールの売上の平均値に満たなければ、絵図の表示色を「赤」（第２の表示色の一例）に設定してステップＳ１６に進む（ステップＳ１５）。
【００２５】
なお、ホールＡについてのみ図示しているが、ホールＡだけでなく各ホールについて各ホールの売上と全ホールの売上の平均値とを比較して比較結果に基いて上述のように各ホールを表す絵図の表示色を設定する。
【００２６】
ステップＳ１６に進むと、センタサーバ４は、記憶されているホールＡの在庫数を読み出して絵図に表示する在庫数としてセットする（ステップＳ１６）。次いで、ホールＡの在庫数が設定値以下（例えば、１０以下）であるか否かを判別する（ステップＳ１７）。なお、この設定値は、対象物品が在庫切れとなる前に対象物品の補充を促すための値である。
【００２７】
ステップＳ１７において、センタサーバ４は、ホールＡの在庫数が設定値以下である場合、在庫数の表示領域の表示色を「赤」（第２の表示色）に設定し（ステップＳ１８）、ホールＡに関係付けして予め定めた取り寄せ先のホール名とそのホールの在庫数をセットし（ステップＳ１９）、マップ上の位置データに基いてマップ上に設定した表示形態（絵図の表示色、物品の在庫数及び在庫数の表示領域の表示色）でホールＡを表示する（ステップＳ２０）。次いで、センタサーバ４は、在庫数が少ない旨を文字表示し（ステップＳ２１）、取り寄せ先のホール名とその在庫数を表示すると（ステップＳ２２）、ステップＳ０１に戻る。
【００２８】
一方、ステップＳ１７において、センタサーバ４は、ホールＡの在庫数が設定値以下でない場合、在庫数の表示領域の表示色を「青」（第１の表示色）に設定し（ステップＳ２３）、マップ上の位置データに基いてマップ上に設定した表示形態（絵図の表示色、物品の在庫数及び在庫数の表示領域の表示色）でホールＡを表示すると（ステップＳ２４）、ステップＳ０１に戻る。
【００２９】
なお、上述した実施形態は、ホールＡについてのみ図示しているが、ホールＡだけでなく、マップ上に絵図として表示される全ホールについて、ステップＳ１３〜ステップＳ１６に至る処理、ステップＳ１７〜ステップＳ２２の処理とステップＳ１７−ステップＳ２３−ステップＳ２４で構成される処理のいずれか一方が実行される。
【００３０】
上述の処理により、センタサーバ４は、管理本部の本部端末装置３からのインターネット５を通じてのアクセス（閲覧要求）に応じて図２に示すようなマップ画面を本部端末装置３の表示画面に表示する。また、マップ画面のマップ上の各ホールの所在位置に表示される各ホールを表す絵図は、以下のような表示形態で表示される。まず、ホールの売上が全ホールの売上の平均値以上であれば、そのホールを表す絵図が「青」で表示され、ホールの売上が全ホールの売上の平均値に満たなければ、そのホールを表す絵図が「赤」で表示される。また、絵図の一部に設定されている在庫数の表示領域には、そのホールにおける物品の在庫数が、例えば「残り＊＊個」のように、文字表示される（絵図に付随して店舗の状態情報に関して文字表示する一態様）。
【００３１】
さらに、ホールにおける物品の在庫数が設定値以下でなければ在庫数の表示領域が「青」で表示される。一方、ホールにおける物品の在庫数が設定値以下であると、在庫数の表示領域が「赤」で表示されると共に、在庫数が少ない旨が文字表示され、そのホールに関係付けて予め定めた取り寄せ先のホール名とその在庫数が表示される。なお、店舗の在庫数が設定値以下となった場合に、その旨（在庫数が少ない旨）を文字表示することは、絵図に付随して店舗の状態情報に関して文字表示する別の一態様となる。
【００３２】
図７は、物品の在庫数が設定値以下となった時の絵図及び通報手段の一表示例を示す図である。図７に示す例では、ホールＡの在庫数が１０個となって設定値以下となったことにより、例えば、「在庫数が残り少なくなりました。」という文字表示と、ホールＡの取り寄せ先としてホールＡ１とホールＡ２の２つが表示され、ホールＡ１の在庫数２５とホールＡ２の在庫数２０が表示されている例を示している。なお、絵図で表示するホールと取り寄せ先のホールとの関係付けは、絵図で表示するホールに対して近距離にあるホールを取り寄せ先に選定する。また、絵図で表示するホールに対して取り寄せ先を１つのホールに限定せず、複数のホールを取り寄せ先に選定してもよい。
【００３３】
各ホールを表す絵図の表示形態は、一定時間毎に各ホールから送られてくる状態情報データが変化することになるので、絵図に関する表示態様切換を行うタイミング毎に切り換えられる。これにより、管理本部の本部端末装置３の表示画面において、マップ上のホールの所在位置に、切り換られた表示形態で絵図が表示されることにより、ホールの状態情報に応じてマップ上のホール（絵図）の表示形態が切り換わるので、絵図をいちいちクリックして状態情報を画面表示させなくとも、マップ画面を見るだけで絵図が表示されている場所の店舗の状態を容易に把握できる。また、本実施形態では、ホールの売上に応じてマップ上のホール（絵図）の表示形態（絵図の表示色）を切り換えるので、マップ画面を見るだけで、店舗の売上が平均以上の店舗か、店舗の売上が平均に満たない店舗かを容易に識別できる。さらに、物品の在庫数についても、絵図内に表示領域を設けて在庫数を表示し、物品の在庫数が設定個数以下であるか否かにより在庫数の表示領域の表示色を切り換えるので、在庫切れになる前に現在の在庫数を確認できる。またさらに、物品の在庫数が設定個数以下である場合、その旨が文字表示で通報されるので、さらに明確に把握でき、物品の取り寄せ先候補となるホール名とその在庫数も一緒に表示されるので、物品の取り寄せ先となる店舗を選定する目安にすることができる。
【００３４】
また、本部端末装置３の表示画面に表示されている図２に示すようなマップ画面において、マップ上に表示されている絵図へのクリック操作に応じて、そのホールの状態情報を画面に表示するように構成してもよい。この場合、各ホールを表す絵図のマップ上での表示領域を定義する。例えば、絵図の左上角の座標は、マップ上の位置データ（Ｘ，Ｙ）に一致させて表示するのであるから、絵図の大きさ（Ｘ軸方向の大きさをα、Ｙ軸方向の大きさをβ）を定義すれば、マップ上で絵図の表示領域内の座標点（ｘ，ｙ）は、Ｘ軸方向はＸ≦ｘ≦Ｘ＋α、Ｙ軸方向はＹ≦ｙ≦Ｙ＋βを満たすことになる。一方、マップ画面上でクリックされた点の座標を（ａ，ｂ）と定義する。そして、この座標（ａ，ｂ）が、Ｘ≦ａ≦Ｘ＋αであり、かつＹ≦ｂ≦Ｙ＋βを満たすのであれば、マップ画面上でクリックされた点は、当該絵図の表示領域内にあると判別することができる。
【００３５】
このように、ホール毎にマップ上での絵図の表示領域を定義しておき、例えば、図４に示すホール毎の記憶データに記憶させてもよい。そして、マップ画面上でクリックされた点の座標（ａ，ｂ）がどの絵図の表示領域に属するかを判別し、表示領域に属すると判別された絵図のホールの状態情報データを画面に表示する。図８にホールＡを表す絵図をクリックしたことにより表示されるホールＡの状態情報データの一表示例を示す。図８では、ホールＡの売上が「１，０００，０００」円、物品の在庫数が「３３」個であることを示している。
【００３６】
以上、本発明の実施形態について説明したが、上述した実施形態においては、絵図の表示形態の切換決定は、絵図の色彩の別を切り換える構成としてあるが、その他に、絵図の大小の別、絵図の点灯点滅の別、絵図の形状の別（例えば、丸と四角との切換）を切り換える構成としてもよい。また、上述した実施形態においては、店舗の状態情報として売上と物品の在庫数を例示したが、その他に、店舗の利益、利益率、来客数、稼働数、稼働率等を用いる場合もある。来客数を用いる場合は、頭取りにより他店舗の来客数を調査し、他店舗との比較に用いることができる。また、稼働数を用いる場合、全店平均稼働との差や、その店の過去１年間の平均稼働との差をマップ上に表示することで、現時点の稼働の増減が地域的な要因によるものかどうかの判断基準とすることができる。
【００３７】
また、上述した実施形態においては、店舗としてホールを用いて説明したが、その他に、飲食店、レジャー施設、デパート、宿泊施設、金融機関等において本システムを適用することができる。
【００３８】
また、上述した実施形態においては、各ホールの状態情報をセンタサーバ４で集め、センタサーバ４で処理する構成としてあるが、センタサーバを用いず、管理本部の本部端末装置３に各ホールの状態情報を直接集め、本部端末装置３にて処理する構成とする場合もある。
【図面の簡単な説明】
【００３９】
【図１】本発明の実施形態に係る店舗監視システムの概略ブロック図である。
【図２】本部端末装置のディスプレイ装置に表示されるマップ画面を示す図である。
【図３】マップ上に表示されたホールを表す絵図の詳細を示す図である。
【図４】センタサーバの記憶装置に記憶されるホール毎の記憶データを示す図である。
【図５】センタサーバが実行するホールを表す絵図に関する表示態様切換並びに絵図表示に関する処理の一部を示すフローチャートである。
【図６】図５のフローチャートのつづきである。
【図７】物品の在庫数が設定値以下となった時の絵図及び通報手段の一表示例を示す図である。
【図８】ホールを表す絵図をクリックしたことにより表示されるホールの状態情報データの一表示態様を示す図である。
【符号の説明】
【００４０】
１  店舗監視システム
２  ホール端末装置
３  本部端末装置
４  センタサーバ
５  インターネット
【図１】
2008004130.tif 000003
【図２】
2008004130.tif 000004
【図３】
2008004130.tif 000005
【図４】
2008004130.tif 000006
【図５】
2008004130.tif 000007
【図６】
2008004130.tif 000008
【図７】
2008004130.tif 000009
【図８】
2008004130.tif 000010